(57)【要約】【課題】開き止め杆の先端部を梯子状脚体の所要部に対し簡単な操作でロック及び解除できる脚立の開き止め装置を提供する。【解決手段】両脚体２，２に一対の開き止め杆４，４をＸ状に掛け渡し、両開き止め杆４，４の基端部を両脚体２，２の上部側に枢着し、両脚体２，２の先端部を両脚体２，２の下部側に固定する脚立の開き止め装置であり、各開き止め杆４の先端部の側面部にピン挿通孔１１を設け、各脚体２の下部側にはピン挿通孔１１に頭１２ごと挿通する係止頭１２付きピン１３を突設し、開き止め杆４の先端側には、ロック金具７を、開き止め杆４に対して平行に重なり合う閉じ姿勢と下端側が開き止め杆４から起き上がる開き姿勢とに開閉するように上端側を枢着し、ロック金具７にはピン１３に対して上方より係嵌する係嵌溝１４を設ける。【選択図】図２
2010090564.tif 000002
【特許請求の範囲】
【請求項１】
一対の梯子状脚体の頂部どうしを枢着してなる脚立の両脚体に一対の開き止め杆をＸ状に掛け渡し、両開き止め杆の夫々基端部を両脚体の夫々上部側に枢着し、両開き止め杆の夫々先端部を両脚体の夫々下部側に固定するようにした脚立の開き止め装置であって、
各開き止め杆の先端部には側面部にピン挿通孔を設け、各脚体の下部側には開き止め杆のピン挿通孔に頭ごと挿通する係止頭付きピンを突設すると共に、開き止め杆の先端側には、ロック金具を、開き止め杆に対して平行に重なり合う閉じ姿勢と下端側が開き止め杆から起き上がる開き姿勢とに開閉するように上端側を枢着し、このロック金具にはロック金具を開き姿勢から閉じていく時に前記ピンに対し上方より係嵌してロックするための係嵌溝を設けてなる脚立の開き止め装置。
【請求項２】
前記ピン挿通孔の孔径をｄ１とし、前記係止頭の外径をｄ２とし、前記係嵌溝の溝幅をｄ３とし、前記ピンの外径をｄ４とすれば、ｄ１＞ｄ２＞ｄ３＞ｄ４である請求項１に記載の脚立の開き止め装置。
【請求項３】
前記各開き止め杆の先端部の一方の側面部に設けられた前記ピン挿通孔に対して、他方の側面部に前記ピン挿通孔と対向する位置に貫通孔を設けてなる請求項１又は２に記載の脚立の開き止め装置。
【請求項４】
前記開き止め杆は角形管からなり、その先端部には、合成樹脂製の端部キャップを嵌挿固定すると共に、端部キャップの両側面部に突設した外向き突起部を開き止め杆先端部の両側面部の開口から突出させ、ロック金具は左右側壁部と上壁部とによって開き止め杆に対し嵌脱自在なコ字形に形成し、左右側壁部の内側面先端側には内向き突起部をその対向間隔が前記外向き突起部の外法間隔よりも狭くなるように突設し、ロック金具を開き姿勢から閉じていく時に左右側壁部の内向き突起部が端部キャップの外向き突起部を越えることでロックするようにした請求項１〜３の何れかに記載の脚立の開き止め装置。
【請求項５】
前記ロック金具には上壁部の先端から開閉操作片を延設してなる請求項４に記載の脚立の開き止め装置。
【発明の詳細な説明】
【技術分野】
【０００１】
本発明は一対の梯子状脚体の頂部どうしを枢着してなる脚立の開き止め装置に関する。なお、脚立には、両脚体を水平に展開した状態で梯子としても使用される兼用脚立と、梯子状脚体が長尺で、梯子としては使用されない専用脚立とがあるが、本発明は、特に専用脚立の開き止め装置に関する。
【背景技術】
【０００２】
従来の開き止め装置として特許公報等の公知文献を具体的に挙げることはできないが、従来の専用脚立の開き止め装置は、長尺な一対の梯子状脚体の頂部どうしを枢着してなる脚立の両脚体に一対の開き止め杆をＸ状に掛け渡し、両開き止め杆の夫々基端部を両脚体の夫々上部側に枢着し、両開き止め杆の夫々先端部を、ロック金具を介して両脚体の夫々下部側に取り外し可能に固定するようになっている。
【発明の開示】
【発明が解決しようとする課題】
【０００３】
上記従来の開き止め装置では、ロック金具の構造が複雑で、開き止め杆の先端部を梯子状脚体の下部側所要部に対してロックしたりロック解除するのに手間がかかるという難点があった。
【０００４】
本発明は、上記の事情に鑑み、開き止め杆の先端部を梯子状脚体の下部側所要部に対し簡単な操作でロック及びロック解除できる開き止め装置を提供することを目的する。
【課題を解決するための手段】
【０００５】
上記課題を解決するための手段を、後述する実施形態の参照符号を付して説明すると、請求項１に係る発明は、一対の梯子状脚体２，２の頂部どうしを枢着してなる脚立１の両脚体２，２に一対の開き止め杆４，４をＸ状に掛け渡し、両開き止め杆４，４の夫々基端部を両脚体２，２の夫々上部側に枢着し、両脚体２，２の夫々先端部を両脚体２，２の夫々下部側に固定するようにした脚立の開き止め装置であって、
各開き止め杆４の先端部には側面部にピン挿通孔１１を設け、各脚体２の下部側には開き止め杆４のピン挿通孔１１に頭１２ごと挿通する係止頭１２付きピン１３を突設すると共に、開き止め杆４の先端側には、ロック金具７を、開き止め杆４に対して平行に重なり合う閉じ姿勢と下端側が開き止め杆４から起き上がる開き姿勢とに開閉するように上端側を枢着し、このロック金具７にはロック金具７を開き姿勢から閉じていく時に前記ピン１３に対し上方より係嵌してロックするための係嵌溝１４を設けてなることを特徴としている。
【０００６】
請求項２は、請求項１に記載の脚立の開き止め装置において、前記ピン挿通孔１１の孔径をｄ１とし、前記係止頭１２の外径をｄ２とし、前記係嵌溝１４の溝幅をｄ３とし、前記ピン１３の外径をｄ４とすれば、ｄ１＞ｄ２＞ｄ３＞ｄ４であることを特徴とする。
【０００７】
請求項３は、請求項１又は２に記載の脚立の開き止め装置において、前記各開き止め杆４の先端部の一方の側面部に設けられた前記ピン挿通孔１１に対して、他方の側面部に前記ピン挿通孔１１と対向する位置に貫通孔１１ａを設けてなることを特徴とする。
【０００８】
請求項４は、請求項１〜３の何れかに記載の脚立の開き止め装置において、前記開き止め杆４は角形管からなり、その先端部には、合成樹脂製の端部キャップ１５を嵌挿固定すると共に、端部キャップ１５の両側面部に突設した外向き突起部１８，１８を開き止め杆４先端部の両側面部の開口１６から突出させ、ロック金具７は左右側壁部７ａ，７ａと上壁部７ｂとによって開き止め杆４に対し嵌脱自在なコ字形に形成し、左右側壁部７ａ，７ａの内側面先端側には内向き突起部２１，２１をその対向間隔Ｗａが前記外向き突起部１８，１８の外法間隔Ｗｂよりも狭くなるように突設し、ロック金具７を開き姿勢から閉じていく時に左右側壁部７ａ，７ａの内向き突起部２１，２１が端部キャップ１５の外向き突起部１８，１８を越えることでロックするようにしたことを特徴とする。
【０００９】
請求項５は、請求項４に記載の脚立の開き止め装置において、前記ロック金具７には上壁部７ｂの先端から開閉操作片２３を延設してなることを特徴とする。
【発明の効果】
【００１０】
上記解決手段による発明の効果を、後述する実施形態の参照符号を付して説明すると、請求項１に係る発明の開き止め装置によれば、開き止め杆４の先端部側に取り付けたロック金具７を開き姿勢とした状態で、脚体２側に突設してある係止頭１２付きピン１３を係止頭１２ごと、開き止め杆４先端部のピン挿通孔１１に挿通させた後、ロック金具７を閉じることによって、ロック金具７側の係嵌溝１４がピン１３に係嵌して、開き止め杆４がロックされ、またロック解除時にはロック金具７を開き姿勢にして、係止頭１２付きピン１３から開き止め杆４先端部のピン挿通孔１１を引き外すようにすればよいから、開き止め杆４のロック及びロック解除を簡単容易に行うことができる。
【００１１】
請求項２に記載のように、前記ピン挿通孔１１の孔径をｄ１とし、前記係止頭１２の外径をｄ２とし、前記係嵌溝１４の溝幅をｄ３とし、前記ピン１３の外径をｄ４としたとき、ｄ１＞ｄ２＞ｄ３＞ｄ４となるようにすることで、開き止め杆４のロック及びロック解除操作を迅速容易にして的確に行わせることができる。
【００１２】
請求項３に記載のように、前記各開き止め杆４の先端部の一方の側面部に設けられた前記ピン挿通孔１１に対して、他方の側面部に前記ピン挿通孔１１と対向する位置に貫通孔１１ａを設けることにより、この貫通孔１１ａを、係止頭１２付きピン１３が前記一方の側面部のピン挿通孔１１に確実に挿通したかどうかを確認する監視用孔として使用できる利点がある。
【００１３】
請求項４に係る発明の開き止め装置によれば、ロック操作にあたって、ロック金具７を開き姿勢から閉じていく時に、ロック金具７の係嵌溝１４がピン１３に係嵌すると共に、内向きに対向突出した突起部２１，２１が開き止め杆４先端部の両側面部の開口１６から外向きに突出した合成樹脂製の外向き突起部１８，１８を越えてしまうと、ロック金具７を強制的に開き姿勢に戻さない限り、ロック解除されないから、確実にロック状態を維持することができる。また、ロック金具７を閉じる際には、ロック金具７側の内向き突起部２１が開き止め杆４側の外向き突起部１８を乗り越えた時に「カチッ」という感触があるので、その感触によってロック金具７が閉じ姿勢に確実にロックされたことを確認することができる。
【００１４】
請求項５に係る発明によれば、ロック金具７には上壁部７ｂの先端から開閉操作片２３を延設しているから、ロック金具７のロック操作及びロック解除操作時は、この開閉操作片２３を掴むことによって、操作を迅速容易に行うことができる。
【発明を実施するための最良の形態】
【００１５】
以下に本発明の好適な一実施形態を図面に基づいて説明すると、図１の(a) は本発明に係る脚立の正面図であり、(b) は側面図であり、図２の(a)  は図１の(a) の矢印Ａで示す部分の拡大図、(b) は(a) に示す部分の横断面図であり、図３の(a) は図１の(a) の矢印Ｂで示す部分の拡大図、(b) は(a) に示す部分の横断面図、(c) は(a) のＣ−Ｃ線断面図、(d) はロックされた閉じ姿勢でのロック金具及び開き止め杆の縦断面図、(e) は(d) のＤ−Ｄ線断面図であり、図４の(a) ，(b) は開き止め杆先端部の固定方法を示す説明図、図５の(a) ，(b) は引き続き固定方法を示す説明図である。
【００１６】
図１に示す脚立１は、一対の梯子状脚体２，２の頂部どうしを枢着金具３により枢着してなるもので、各脚体２は、図１の(b) に示すように、夫々下広がり状に配置される両側枠５，５間に踏桟６を多段状に取り付けることにより形成される。しかして、両脚体２，２は開き止め装置によって図１の(a) に示すような一定の開き角度に固定される。即ち、両脚体２，２には一対の開き止め杆４，４がＸ状に掛け渡されて、両開き止め杆４，４の夫々基端部が両脚体２，２の夫々上部側に枢着され、両開き止め杆４，４の夫々先端部が開き止め装置によって両脚体２，２の夫々下部側に固定されるようになっている。
【００１７】
上記開き止め装置について説明すると、図２〜図５に示すように、各開き止め杆４は角形管からなるもので、この開き止め杆４の基端部（上端部）は、脚体２を形成する側枠５の上部側に取り付けられた上部ブラケット８に枢軸１０で枢着され、この開き止め杆４の先端部（下端部）には側面部にピン挿通孔１１（図６参照）が設けられ、前記側枠５の下部側所要位置には開き止め受け金具９が取り付けてあって、この受け金具９には、図３の(b) に示すように、開き止め杆４先端部の前記ピン挿通孔１１に係止頭ごと挿通する係止頭１２付きピン１３が突設されている。
【００１８】
また開き止め杆４の先端側には、ロック金具７が、開き止め杆４に対して平行に重なり合う閉じ姿勢（図５の(b) 参照）と下端側が開き止め杆４から起き上がる開き姿勢（図４の(a) ，(b) 参照）とに開閉するように上端側が枢軸２４によって枢着され、このロック金具７にはロック金具７を開き姿勢から閉じていく時に前記係止頭１２付きピン１３のピン１３それ自体に対し上方より係嵌してロックするための係嵌溝１４が設けられている。この係嵌溝１４は、ピン１３の外径より僅かに大きい溝幅に形成されていて、ピン１３に係嵌した状態では係止頭１２から離脱できないようになっている。即ち、図３の(d) 及び(e) に示すように、開き止め杆４の先端部の先端部に設けてあるピン挿通孔１１の孔径をｄ１とし、受け金具９に突設されたピン１３に付設してある係止頭１２の外径をｄ２とし、ロック金具７に設けられた係嵌溝１４の溝幅をｄ３とし、そしてピン１３の外径をｄ４とすれば、ｄ１＞ｄ２＞ｄ３＞ｄ４の関係となり、こうすることで開き止め杆４のロック及びロック解除操作を迅速容易にして的確に行わせることができる。また、開き止め杆４の先端部内には、合成樹脂製の端部キャップ１５が嵌挿固定されている。
【００１９】
上記開き止め装置の構造について更に詳細に説明すれば、図６の(a) は角形管からなる開き止め杆４の先端部内に端部キャップ１５を嵌挿しようとしている状態を示し、(b) は端部キャップ１５を嵌挿固定した状態の開き止め杆４の先端部を示す。この開き止め杆４は、図６の(a) に示すように、上壁４ａと下壁４ｂと左右側壁４ｃ，４ｃとからなる角形管で、左右側壁４ｃ，４ｃの先端部に切欠開口１６，１６が設けられ、この切欠開口１６の近傍の所定位置にピン挿通孔１１が設けられ、また上壁４ａ及び下壁４ｂの夫々先端部にビス挿通孔１７が設けてある。
【００２０】
図７の(a) は端部キャップ１５を示す斜視図、(b) は正面図、(c) は平面図、(d) は側面図、(e) は底面図である。端部キャップ１５は、合成樹脂で一体に形成されたもので、開き止め杆４の先端部内に嵌合する中空矩形体状のキャップ本体１５ａと、これより径大で、開き止め杆４の先端面に係止される係止ヘッド１５ｂとからなり、開き止め杆４の左右側壁４ｃ，４ｃに対応するキャップ本体１５ａの側面には、開き止め杆４側の切欠開口１６，１６から突出する外向き突起部１８，１８が形成されている。両突起部１８，１８は図７の(e) に示すようにテーパ状に形成されている。即ち、各突起部１８は、手前側の部分１８ａが緩い上り勾配状であり、山頂部１８ｂが平行状であり、そして最後部が段部１８ｃとなっている。またキャップ本体１５ａには、開き止め杆４側のボルト挿通孔１７に対応する位置にネジ孔１９が設けてある。
【００２１】
そして、端部キャップ１５を角形管からなる開き止め杆４の先端部内に嵌挿固定するには、端部キャップ１５を図６の(a) に示す状態から開き止め杆４の先端部内に嵌挿して、両突起部１８，１８を開き止め杆４の切欠開口１６，１６から夫々突出させた状態で、開き止め杆４のボルト挿通孔１７から端部キャップ１５のネジ孔１９にビス２０をねじ込んで締め付けることによって、図６の(b) に示すような状態とする。
【００２２】
図８の(a) はロック金具７の斜視図、(b) は(a) のＸ−Ｘ線断面図であり、図９の(a) はロック金具７が開き止め杆４の先端部に対し開き姿勢にある状態を示す正面図、(b) はロック金具７が閉じ姿勢にある状態の正面図である。このロック金具７は、鋼板をプレス加工して形成されるもので、左右側壁部７ａ，７ａと上壁部７ｂとにより開き止め杆４に対し嵌脱自在なコ字形に形成すると共に、左右側壁部７ａ，７ａの内側面先端側には内向き突起部２１，２１を、その対向間隔Ｗａが開き止め杆４側の外向き突起部１８，１８の外法間隔Ｗｂよりも狭くなるように突設し（図８の(b) 及び図９の(a) 参照）、しかしてロック金具７を開き姿勢から開き止め杆４先端部に対し嵌合しながら閉じていく時に左右側壁部の内向き突起部２１，２１が端部キャップ１５の外向き突起部１８，１８を越えることでロックするようになっている。
【００２３】
また、ロック金具７には側壁部７ａ，７ａの長手方向中央部側に、ピン１３に上方より係嵌してロックするための係嵌溝１４，１４が設けられ、また側壁部７ａ，７ａの基端側は若干長く延設されて、枢着用腕部７ａｏ，７ａｏを形成し、更に上壁部７ｂの先端側からは開閉操作片２３が延設されている。
【００２４】
このロック金具７を開き止め杆４に枢着するには、このロック金具７を開き止め杆４の先端側に上方より嵌合させた状態で、枢着用腕部７ａｏ，７ａｏに設けられたボルト挿通孔２２，２２と開き止め杆４に設けてあるボルト挿通孔２５，２５とにわたり枢軸２４としてのリベット又はボルトを挿通することによって、ロック金具７を開き止め杆４に対し嵌合して平行に重なり合う閉じ姿勢と下端側が開き止め杆４から起き上がる開き姿勢とに開閉するように枢着させることができる。
【００２５】
また、ロック金具７の上壁部７ｂ先端側には、ロック金具７が閉じ姿勢になった時に、開き止め杆４の上壁４ａ先端部に突出している端部キャップ固定用ビス２０の頭を受け入れるような孔２６が開口形成されているから、スライド金具７は、図４の(b) に示すように、閉じ姿勢において開き止め杆４の先端部に対し的確に嵌合することができる。
【００２６】
上記のように構成される開き止め装置の作用について図４の(a) ，(b) 及び図５の(a) ，(b) を中心に他の図面も参照しながら説明する。
【００２７】
先ず、図４の(a) に示すようにロック金具７を開き姿勢とし、この開き姿勢で、(b) に示すように脚体２の側枠５の開き止め受け金具９に突設してある係止頭１２付きピン１３を係止頭１２ごと、開き止め杆４先端部のピン挿通孔１１に挿通し、そして図５の(a) に示すように、ロック金具７を、開き姿勢から開き止め杆４の先端部に嵌合するように閉じていくと、このロック金具７の側壁部７ａに形成された係嵌溝１４がピン１３に係嵌する（図３の(a) ，(b) ，(d) ，(e) 参照）と共に、図９の(a) に示すように両側壁部７ａ，７ａの内側面先端側に内向きに対向突出した突起部２１，２１が、同図の(b) に示すように開き止め杆４先端部の両側面部の開口１６から外向きに突出した合成樹脂製の外向き突起部１８，１８を乗り越えることにより、ロック金具７は、閉じ位置にロックされ、図３の(d) ，(e) 及び図５の(b) に示すような状態となる。
【００２８】
上記のようにロック金具７を開き姿勢から開き止め杆４先端部に嵌合して閉じる際に、ロック金具７側の内向き突起部２１，２１が開き止め杆４側の外向き突起部１８，１８を乗り越えてしまうと、人がロック金具７を強制的に開き姿勢に戻さない限り、ロック解除されないから、ロック金具７は確実にロック状態を維持することができる。なお、ロック金具７を閉じる際は、ロック金具７側の内向き突起部２１が開き止め杆４側の外向き突起部１８を乗り越えた時に「カチッ」という感触があるので、その感触によってロック金具７が閉じ姿勢に確実にロックされたことを確認することができる。
【００２９】
この実施形態では、図８の(a) に示すように、ロック金具７の係嵌溝１４は、左右側壁部７ａ，７ａの両方に夫々形成されているが、開き止め受け金具９に突設されたピン１３に係嵌するのは、左右側壁部７ａ，７ａの係嵌溝１４，１４のうち、開き止め受け金具９に対向する側の側壁部７ａ，７ａの係嵌溝１４であって、図４及び図５に図示されている係嵌溝１４は、実際にピン１３と係嵌する側の側壁部７ａと反対側の側壁部７ａに形成されている係嵌溝１４である。この実施形態のように、ロック金具７の左右両側壁部７ａ，７ａに夫々係嵌溝１４を形成することにより、図１の(a) に示すように左右一対使用される開き止め杆４，４の何れにも同じロック金具７を使用することができるいう製作上の互換性を有する。また、この実施形態では、図６の(a) に示すように、各開き止め杆４の先端部の一方の側面部に設けられた前記ピン挿通孔１１に対し、他方の側面部に前記ピン挿通孔１１と対向する位置に、ピン挿通孔１１と同じ径の貫通孔１１ａが設けられている。この貫通孔１１ａは、係止頭１２付きピン１３が前記一方の側面部のピン挿通孔１１に確実に挿通したかどうかを確認する監視用孔として使用できる。この場合、ピン挿通孔１１と貫通孔１１ａとが同じ孔径であるため、左右一対使用される開き止め杆４，４の何れにも使用できる製作上の互換性を有する。
【００３０】
図５の(b) に示すようにロック金具７を閉じ姿勢にロックした後、ロック解除するには、図４の(a) ，(b) から図５の(a) ，(b) により説明した操作の逆の操作を行えばよい。このロック金具７のロック操作及びロック解除操作を行う時には、上壁部７ｂの先端側に設けてある開閉操作片２３を掴むことにより、操作を迅速容易に行うことができる。
【００３１】
また、開き止め杆４の先端部の両側面部の開口１６から突出する突起部１８，１８は、ロック金具７が入り易く、抜け難い形状となっている、即ち図６の(b) 、図７の(e) 及び図９の(a) に示すように手前側部分１８ａが緩い上り勾配状であり、山頂部１８ｂが平行状であり、そして最後部が段部１８ｃとなっている。
【図面の簡単な説明】
【００３２】
【図１】(a) は本発明に係る脚立の正面図であり、(b) は側面図である。
【図２】(a) は図１の(a) の矢印Ａで示す部分の拡大図、(b) は(a) に示す部分の横断面図である。
【図３】(a) は図１の(a) の矢印Ｂで示す部分の拡大図、(b) は(a) に示す部分の横断面図、(c) (a) のＣ−Ｃ線断面図、(d) はロックされた閉じ姿勢でのロック金具及び開き止め杆の縦断面図、(e) は(d) のＤ−Ｄ線断面図である。
【図４】(a) ，(b) は開き止め杆先端部の固定方法を示す説明図である。
【図５】(a) ，(b) は引き続き固定方法を示す説明図である。
【図６】(a) は開き止め杆の先端部内に端部キャップを嵌挿しようとしている状態を示す斜視図、(b) は端部キャップを嵌挿固定した状態の開き止め杆の先端部を示す斜視図である。
【図７】(a) は端部キャップを示す斜視図、(b) は正面図、(c) は平面図、(d) は側面図、(e) は底面図である。
【図８】(a) はロック金具を示す斜視図、(b) は(a) のＸ−Ｘ線断面図である。
【図９】(a) はロック金具が開き止め杆の先端部に対し開き姿勢にある状態を示す正面図、(b) はロック金具が開き止め杆先端部に対して閉じ姿勢にある状態の正面図である。
【符号の説明】
【００３３】
１            脚立
２            梯子状脚体
４            開き止め杆
５            梯子状脚体の側枠
６            梯子状脚体の踏桟
７            ロック金具
１０          枢軸
１１          ピン挿通孔
１２          係止頭
１３          係止頭付きピン
１４          開き止め杆
１５          合成樹脂製の端部キャップ
１８          外向き突起部
２１          内向き突起部
【図１】
2010090564.tif 000003
【図２】
2010090564.tif 000004
【図３】
2010090564.tif 000005
【図４】
2010090564.tif 000006
【図５】
2010090564.tif 000007
【図６】
2010090564.tif 000008
【図７】
2010090564.tif 000009
【図８】
2010090564.tif 000010
【図９】
2010090564.tif 000011